(57)【要約】【課題】施工性が良好で、かつ見栄え良く天井パネルを固定し得る天井パネルの固定構造を提供する。【解決手段】軟質層２０の天井下地５側に裏面側補強層１５が設けられた天井パネル１の固定構造であって、前記天井パネルは、その裏面が前記天井下地に当接された状態で、前記裏面側補強層が頭部８ａの止部となるように表面側から打ち込まれた固着具８によって固定され、該固着具は、その頭部が前記軟質層内に没入されている。【選択図】図１
2020033773.tif 000002
【特許請求の範囲】
【請求項１】
軟質層の天井下地側に裏面側補強層が設けられた天井パネルの固定構造であって、
前記天井パネルは、その裏面が前記天井下地に当接された状態で、前記裏面側補強層が頭部の止部となるように表面側から打ち込まれた固着具によって固定され、該固着具は、その頭部が前記軟質層内に没入されていることを特徴とする天井パネルの固定構造。
【請求項２】
請求項１において、
前記天井パネルの軟質層の表面側には、表面側補強層が設けられ、前記固着具の頭部は、該表面側補強層を貫通していることを特徴とする天井パネルの固定構造。
【請求項３】
請求項１または２において、
前記固着具は、前記裏面側補強層が複数層設けられた部位に打ち込まれていることを特徴とする天井パネルの固定構造。
【請求項４】
請求項１乃至３のいずれか１項において、
前記固着具は、ステープルであることを特徴とする天井パネルの固定構造。
【請求項５】
請求項１乃至４のいずれか１項において、
前記裏面側補強層には、繊維強化樹脂層が含まれていることを特徴とする天井パネルの固定構造。
【請求項６】
請求項１乃至５のいずれか１項において、
前記軟質層は、発泡樹脂層であることを特徴とする天井パネルの固定構造。
【発明の詳細な説明】
【技術分野】
【０００１】
本発明は、天井パネルの固定構造に関する。
【背景技術】
【０００２】
従来より、天井パネルの固定構造としては、天井パネルの端部を野縁等の天井下地にビス等によって直接的に固定したり、目地材等によって保持させたりして固定した構造が知られている。このような構造では、天井パネルの室内側においてビスの頭部や目地材が目立ち易くなるという問題があった。
例えば、下記特許文献１には、天井材の表面に設けられた深さの深い小凹部から天井下地にステープルを打入して天井材を取り付ける構造が開示されている。
【先行技術文献】
【特許文献】
【０００３】
【特許文献１】実開平５−６６１１９号公報
【発明の概要】
【発明が解決しようとする課題】
【０００４】
しかしながら、上記特許文献１に記載された天井材の取り付け構造では、小凹部が目立ち易くなり、また、小凹部以外の箇所に打入すれば、ステープルが目立ち易くなることが考えられ、更なる改善が望まれる。
【０００５】
本発明は、上記実情に鑑みてなされたものであり、施工性が良好で、かつ見栄え良く天井パネルを固定し得る天井パネルの固定構造を提供することを目的としている。
【課題を解決するための手段】
【０００６】
上記目的を達成するために、本発明に係る天井パネルの固定構造は、軟質層の天井下地側に裏面側補強層が設けられた天井パネルの固定構造であって、前記天井パネルは、その裏面が前記天井下地に当接された状態で、前記裏面側補強層が頭部の止部となるように表面側から打ち込まれた固着具によって固定され、該固着具は、その頭部が前記軟質層内に没入されていることを特徴とする。
【発明の効果】
【０００７】
本発明に係る天井パネルの固定構造は、上述のような構成としたことで、施工性が良好で、かつ見栄え良く天井パネルを固定することができる。
【図面の簡単な説明】
【０００８】
【図１】本発明の一実施形態に係る天井パネルの固定構造の一例を模式的に示し、図２（ａ）におけるＸ−Ｘ線矢視に対応させた一部破断概略縦断面図である。
【図２】（ａ）は、同天井パネルの固定構造を模式的に示す一部破断概略平面図、（ｂ）は、同天井パネルの固定構造を用いて固定される天井パネルの一例を模式的に示し、その製造方法の一例を模式的に示す図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る天井パネルの固定構造を用いて天井パネルを固定した状態を基準として上下方向等の方向を説明する。
図１及び図２は、本実施形態に係る天井パネルの固定構造の一例を模式的に示す図である。
【００１０】
本実施形態に係る天井パネルの固定構造を用いて固定される天井パネル１は、図１に示すように、軟質層を構成する発泡樹脂層２０の天井下地５側に、裏面側補強層を構成する下地側層１５を設けた構成とされている。
この天井パネル１が固定される天井下地５としては、木造天井下地でもよく、鋼製天井下地でもよい。また、天井下地５を、軽鉄材を用いたいわゆる軽天下地としてもよい。図例では、天井下地５を、吊木や吊ボルト等の吊部材６に野縁７を吊り下げた構成としたいわゆる吊天井とした例を示しているが、種々の構成とされたものでもよい。
また、この天井パネル１は、住居やオフィス等の比較的に小型の建物の天井として施工されるものでもよく、体育館やホール、ショッピングモール、工場、学校等の比較的に大型の各種の建物の天井として施工されるものでもよい。
また、この天井パネル１は、単位面積（１ｍ２）当たりの質量が２．０ｋｇ以下とされたものでもよく、好ましくは、１．５ｋｇ以下とされたものでもよく、より好ましくは、１．０ｋｇ以下とされたものでもよい。また、この天井パネル１の質量を、上記のような軽天下地からなる天井下地５を含んだ天井システム全体の質量が２．０ｋｇ／ｍ２以下となるような質量としてもよい。
【００１１】
また、この天井パネル１は、図２（ａ）に示すように、平面視して（厚さ方向に見て）、略方形状とされている。この天井パネル１は、平面視して略正方形状とされたものでもよく、略長方形状とされたものでもよい。この天井パネル１の平面視した状態における大きさは、取扱性や施工性等の観点から適宜の大きさとしてもよく、例えば、１辺の長さが０．３ｍ以上とされたものでもよく、２．０ｍ以下とされたものでもよい。また、略長方形状とされた天井パネル１においては、短辺の長さが０．３ｍ以上で、長辺の長さが２．０ｍ以下とされたものでもよい。また、略正方形状とされた天井パネル１においては、１辺の長さが０．６ｍ以上、１．５ｍ以下とされたものでもよく、０．９ｍ〜１．２ｍ程度とされたものでもよい。また、この天井パネル１の厚さは、層構成等にもよるが、例えば、２．５ｍｍ〜１５．０ｍｍ程度としてもよく、好ましくは、３．０ｍｍ〜１２．０ｍｍ程度としてもよく、より好ましくは、３．０ｍｍ〜６．０ｍｍ程度としてもよい。
【００１２】
また、天井パネル１は、発泡樹脂層２０の表面側（室内側）に表面側補強層を構成する室内側面層１０ａを設けた構成とされている。この室内側面層１０ａは、化粧層１１と、この化粧層１１の発泡樹脂層２０側に設けられた難燃層１２と、を備えている。このように発泡樹脂層２０の室内側に難燃層１２を設けた構成とすれば、木質系ボードや石膏ボードと比べて、軽量化を図ることができ、また、室内側における難燃性を向上させることができる。
【００１３】
化粧層１１は、厚さが０．１ｍｍ〜０．５ｍｍ程度の薄シート状とされ、当該天井パネル１の化粧面を構成する。本実施形態では、この化粧層１１を、ガラス繊維シートとしている。このような構成とすれば、化粧層１１を印刷紙や突板としたものと比べて、剛性及び難燃性を向上させることができる。この化粧層１１としては、ガラス不織布（ガラスペーパー）でもよく、目付が２０ｇ／ｍ２〜２５０ｇ／ｍ２程度とされたものでもよく、好ましくは、目付が３０ｇ／ｍ２〜１００ｇ／ｍ２程度とされたものでもよい。
また、この化粧層１１は、ガラス繊維シートの表面に印刷や塗装等の適宜の表面化粧処理が施されたものでもよい。なお、化粧層１１としては、ガラス繊維シートに限られず、印刷や塗装等の適宜の表面化粧処理が施された他のシート材でもよく、また、印刷、塗装等によって形成されたものでもよい。また、化粧層１１の印刷に用いる塗料に含まれる顔料、添加物等は、難燃性を確保する観点から、無機系であることが好ましい。
【００１４】
難燃層１２は、当該天井パネル１が建築基準法において定められた不燃材料等に必要な性能に関する技術的基準を満たすように適宜の構成とされたものでもよい。例えば、当該天井パネル１が技術的基準における「難燃材料」の基準を満たすように構成されたものでもよく、好ましくは、「準不燃材料」の基準を満たすように構成されたものでもよく、より好ましくは、「不燃材料」の基準を満たすように構成されたものでもよい。この難燃層１２としては、例えば、薄シート状とされた箔状のアルミシートでもよい。この難燃層１２を構成するアルミシートの厚さは、５μｍ〜５０μｍ程度でもよく、好ましくは、７μｍ〜４０μｍ程度でもよく、より好ましくは、１０μｍ〜３０μｍ程度でもよい。
なお、難燃層１２としては、上記のような構成とされたものに限られず、その他、種々の構成とされたものの採用が可能である。例えば、吸熱性金属水酸化物を含む樹脂含浸ガラス繊維不織布板等としてもよい。
これら化粧層１１と難燃層１２とは、適宜の接着剤等によって積層一体化されたものでもよい。
【００１５】
また、本実施形態では、室内側面層１０ａを、難燃層１２の発泡樹脂層２０側に設けられた繊維強化樹脂層を構成するガラス繊維強化樹脂層１３を含んだ構成としている。このような構成とすれば、ガラス繊維強化樹脂層１３が補強層として機能し、天井パネル１全体の曲げ剛性及び寸法安定性を向上させることができる。これにより、軽量化を図りながらも、施工後における垂れをより効果的に抑制することができ、天井パネル１として好適なものとなる。
このガラス繊維強化樹脂層１３は、樹脂主成分が発泡樹脂層２０の樹脂主成分と同一とされている。このような構成とすれば、各層における馴染み性が良好となり、境界剥離等を生じ難くすることができる。
【００１６】
このガラス繊維強化樹脂層１３を構成するガラス繊維シート１４は、目付が５０ｇ／ｍ２〜３００ｇ／ｍ２のガラスクロスとされている。このような構成とすれば、軽量化を図りながらも適度な曲げ剛性を確保することができる。このガラス繊維シート１４の目付は、好ましくは、５０ｇ／ｍ２〜１５０ｇ／ｍ２でもよく、より好ましくは、５０ｇ／ｍ２〜１００ｇ／ｍ２でもよい。このようなガラス繊維シート１４としては、厚さが０．１ｍｍ〜０．５ｍｍ程度の薄シート状とされたものでもよい。また、このガラス繊維シート１４としては、ガラス繊維の織布が好ましく、例えば、縦糸及び横糸にガラスロービングを用いて製織した平織、絡み織等の織物であるガラスクロスでもよい。ガラスクロスを用いることにより、熱変形を生じ難くすることができる。なお、ガラス繊維シート１４としては、このようなガラスクロスに限られず、ガラスペーパーやガラスマットでもよい。
【００１７】
また、本実施形態では、ガラス繊維強化樹脂層１３は、ガラス繊維シート１４に発泡樹脂層２０を構成する樹脂組成物が含浸されて形成されている。つまり、発泡樹脂層２０の一部にガラス繊維強化樹脂層１３を一体的に設けた構成としている。このような構成とすれば、別途に作成されたガラス繊維強化樹脂層を構成するシートを発泡樹脂層２０に積層したものと比べて、境界剥離等をより生じ難くすることができる。また、製造効率を向上させることができる。
【００１８】
また、上記のように積層一体化された化粧層１１及び難燃層１２の天井下地５側に適宜の接着剤によってガラス繊維シート１４が積層一体化された複合シートが、発泡樹脂層２０を構成する樹脂組成物によって発泡樹脂層２０に積層一体化されたものでもよい。この場合、難燃層１２がガラス繊維強化樹脂層１３を構成するガラス繊維シート１４を通過した樹脂組成物に少なくとも部分的に接着されたものでもよい。つまり、上記のように目付が小さくされて目隙が多くなるガラス繊維シート１４から発泡樹脂層２０を構成する樹脂組成物が染み出すようにして難燃層１２に部分的に接着されたものでもよい。また、難燃層１２とガラス繊維シート１４とを積層一体化する接着剤は、ガラス繊維強化樹脂層１３を構成する樹脂組成物のガラス繊維シート１４からの染み出しを許容するようにガラス繊維シート１４に塗布されたものでもよい。このような構成とすれば、接着剤等を介して難燃層１２を積層したものと比べて、剥離を抑制することができ、また、皺等が形成され難く、製造効率を向上させることができる。
【００１９】
また、本実施形態では、下地側層１５を、繊維強化樹脂層を構成するガラス繊維強化樹脂層１７を含んだ構成としている。つまりは、発泡樹脂層２０を厚さ方向両側の補強層を構成するガラス繊維強化樹脂層１３，１７によって挟んだような構成としている。このような構成とすれば、曲げ剛性及び寸法安定性をより効果的に向上させることができる。これにより、軽量化を図りながらも、施工後における垂れをより効果的に抑制することができ、天井パネル１としてより好適なものとなる。
この下地側のガラス繊維強化樹脂層１７は、上記した室内側のガラス繊維強化樹脂層１３と概ね同様、発泡樹脂層２０の樹脂主成分と樹脂主成分が同一とされている。また、上記同様、この下地側のガラス繊維強化樹脂層１７は、ガラス繊維シート１８に発泡樹脂層２０を構成する樹脂組成物が含浸されて形成されている。
【００２０】
また、本実施形態では、この下地側のガラス繊維強化樹脂層１７の天井下地５側に、下地側層１５を構成する滲出抑制層１６を設けた構成としている。このような構成とすれば、発泡樹脂層２０の厚さ方向両側にガラス繊維強化樹脂層１３，１７及びシート状部材（難燃層１２及び滲出抑制層１６）が設けられることとなり、曲げ剛性及び寸法安定性をより効果的に向上させることができる。また、概ね表裏対称な構造となるので、反り抑制効果も期待できる。
この滲出抑制層１６としては、ガラス繊維強化樹脂層１７を構成する樹脂組成物の滲出の抑制が可能なものであればよく、樹脂シートや金属シートでもよい。滲出抑制層１６を、金属シートとすれば、難燃性を向上させることができ、また、遮熱性や電磁波遮蔽性の向上も期待できる。
例えば、滲出抑制層１６を、上記した難燃層１２と同様のアルミシートとしてもよく、難燃層１２よりも薄いシートとしてもよい。例えば、滲出抑制層１６の厚さを、難燃層１２の厚さの２／５〜３／５程度の厚さとしてもよい。
【００２１】
また、この滲出抑制層１６にガラス繊維強化樹脂層１７を構成するガラス繊維シート１８が適宜の接着剤で積層一体化された複合シートが、発泡樹脂層２０を構成する樹脂組成物によって発泡樹脂層２０に積層一体化されたものでもよい。この場合、滲出抑制層１６がガラス繊維強化樹脂層１７を構成するガラス繊維シート１８を通過した樹脂組成物に少なくとも部分的に接着されたものでもよい。つまり、上記のように目付が小さくされて目隙が多くなるガラス繊維シート１８から発泡樹脂層２０を構成する樹脂組成物が染み出すようにして滲出抑制層１６に部分的に接着されたものでもよい。また、滲出抑制層１６とガラス繊維シート１８とを積層一体化する接着剤は、ガラス繊維強化樹脂層１７を構成する樹脂組成物のガラス繊維シート１８からの染み出しを許容するようにガラス繊維シート１８に塗布されたものでもよい。
【００２２】
上記のような構成とすれば、接着剤等を介して滲出抑制層１６を積層したものと比べて、剥離を抑制することができ、また、皺等が形成され難く、製造効率を向上させることができる。また、上記のようにガラス繊維シート１８の目付を小さくすれば、目隙が多くなり、成形する際にガラス繊維強化樹脂層１７を構成する樹脂組成物が染み出してガラス繊維シート１８が樹脂組成物層内に埋没することが考えられる。上記のように滲出抑制層１６にガラス繊維シート１８を積層一体化した構成とすれば、成形する際におけるガラス繊維シート１８の埋没を抑制することができる。
なお、室内側面層１０ａ（表面層１０）及び下地側層１５の両方または一方の繊維強化樹脂層を、ガラス繊維シート１４，１８に代えて、炭素繊維や鉱物繊維等の他の強化繊維シートを含んだ構成としてもよい。
【００２３】
発泡樹脂層２０は、当該天井パネル１の大部分を占める。この発泡樹脂層２０の厚さは、天井パネル１の厚さの８０％〜９９％であることが好ましく、８５％〜９５％であることがより好ましい。この発泡樹脂層１０の厚さは、例えば、２．３ｍｍ〜１４．８ｍｍ程度としてもよく、好ましくは、２．５ｍｍ〜１１．５ｍｍ程度としてもよく、より好ましくは、２．５ｍｍ〜５．５ｍｍ程度としてもよい。また、この発泡樹脂層２０を構成する樹脂組成物は、本実施形態では、発泡倍率が１０倍〜３０倍の発泡ポリウレタン樹脂とされている。このような構成とすれば、軽量化を図ることができる。また、発泡樹脂層２０の厚さ方向両側の室内側面層１０ａ及び下地側層１５のうちの一方または両方を、上記のように発泡樹脂層２０を構成する樹脂組成物によって発泡樹脂層２０に積層一体化することができ、製造効率を向上させることができる。この発泡樹脂層２０を構成する樹脂組成物の発泡倍率は、好ましくは、１５倍〜２５倍程度でもよい。
【００２４】
また、本実施形態では、発泡樹脂層２０を構成する樹脂組成物を、難燃性ポリウレタン樹脂組成物としている。このような構成とすれば、上記のような発泡倍率としたことも相俟って難燃性（不燃性）をより向上させることができる。つまり、発泡樹脂層２０に含まれる有機材の量が比較的に少なくなるため総発熱量を低くすることができる。このような難燃性ポリウレタン樹脂組成物としては、ポリイソシアネート化合物、ポリオール化合物、触媒、発泡剤、整泡剤及び添加剤を含んだ構成とされたものでもよい。また、このような難燃性ポリウレタン樹脂組成物には、難燃剤や、フィラー、無機充填材が更に含まれていてもよい。発泡樹脂層２０を構成する樹脂としては、ポリウレタン樹脂のほか、ポリスチレン樹脂、ポリエチレン樹脂、ポリプロピレン樹脂、フェノール樹脂、エポキシ樹脂等が例示される。
【００２５】
また、天井パネル１は、難燃層１２及び化粧層１１（本実施形態では、これらに加え、ガラス繊維強化樹脂層１３）を含む室内側面層１０ａから一連状に、当該天井パネル１の側端部２の端面３を構成する端面層１０ｃを設けた構成とされている。また、天井パネル１の側端部２の室内側縁部に面取部４を設け、この面取部４を構成する面取表面層１０ｂを、室内側面層１０ａから一連状に設けた構成としている。このように一連状に設けられた室内側面層１０ａ、面取表面層１０ｂ及び端面層１０ｃによって表面層１０を構成している。
【００２６】
本実施形態では、天井パネル１は、図２（ｂ）に示すように、難燃層１２及び化粧層１１を含む表面層１０が溝底側に存在するように、少なくとも一側端部２の裏面側に設けられた折曲溝２２，２５の部位において折り曲げられて一側端部２の端面３に表面層１０（端面層１０ｃ）を設けた構成とされている。このような構成とすれば、四周の側端部２，２，２，２のうちの少なくとも一側端部２の端面３における難燃性を向上させることができる。これにより、隣り合う天井パネル１，１の一側端部２，２の端面３，３同士を突き合わせて施工された状態で室内側において火災が発生したような場合にも、発泡樹脂層２０を端面３において露出させたものと比べて、端面３からの燃焼を遅延させることができる。また、一側端部２における曲げ剛性を向上させることができる。また、この一側端部２の端面３に室内側面から一連状に表面層１０が設けられることとなるので、例えば、エッジシートを貼着して端面３を覆うようなものと比べて、室内側の縁部の見栄えを向上させることができる。また、本実施形態では、上記のように表面層１０にガラス繊維強化樹脂層１３を含んだ構成としているので、一側端部２の曲げ剛性をより効果的に向上させることができる。
【００２７】
また、本実施形態では、一側端部２の室内側縁部に面取部４が形成されるように複数本の折曲溝２２，２５を設けた構成としている。このような構成とすれば、隣り合う天井パネル１，１の一側端部２，２の端面３，３同士を突き合わせて施工した場合における室内側面同士の段差を目立ち難くすることができる。また、室内側面から面取部４も含んで一側端部２の端面３に一連状に表面層１０が設けられることとなるので、継目が形成されず、見栄えを向上させることができる。
また、本実施形態では、一側端部２の表面層１０に、端面層１０ｃから一側端部２の裏面を覆うように延出された延出部位を構成する端部裏面層１０ｄを設けた構成としている。この端部裏面層１０ｄは、裏面側補強層を構成する。このような構成とすれば、端面３に加えて、一側端部２の裏面の難燃性を向上させることができる。また、室内側面及び端面３のみに表面層１０を設けたものと比べて、一側端部２における曲げ剛性をより向上させることができ、また、表面層１０の剥離を抑制することができる。
【００２８】
また、本実施形態では、一側端部２の裏面に、この端部裏面層１０ｄと下地側層１５とが重ね合わせられた部位を設けた構成としている。このような構成とすれば、一側端部２における曲げ剛性をより向上させることができる。この端部裏面層１０ｄの延出方向に沿う寸法（幅寸法）は、一側端部２の強度上の観点や、剥離を抑制する観点、軽量化を図る観点等から適宜の寸法としてもよい。例えば、この端部裏面層１０ｄの幅寸法を、当該天井パネル１の厚さ寸法の１倍〜１５倍程度としてもよく、好ましくは、３倍〜１０倍程度としてもよい。
【００２９】
上記のような端面層１０ｃ（本実施形態では、端面層１０ｃに加えて面取表面層１０ｂ及び端部裏面層１０ｄ）は、好ましくは、天井パネル１の一方向の両側端部２，２に設けられたものでもよい。このような構成とすれば、天井パネル１の一方向の両側端部２，２の端面３，３における難燃性を向上させることができる。本実施形態では、天井パネル１の四周の側端部２，２，２，２に端面層１０ｃ（本実施形態では、端面層１０ｃに加えて面取表面層１０ｂ及び端部裏面層１０ｄ）を設けた構成としている（図２（ａ）参照）。このような構成とすれば、天井パネル１の四周の側端部２，２，２，２の端面３，３，３，３における難燃性を向上させることができる。なお、各側端部２，２，２，２は、いずれも同様の構成であるので、以下では一つの側端部２を例にとってその詳細について説明する。
【００３０】
側端部２に設けられた面取部４は、天井パネル１の室内側面と端面３との角部に設けられている。この面取部４の室内側面との境界部から端面３との境界部までのパネル厚さ方向に沿う寸法（深さ寸法）は、隣り合う天井パネル１，１同士の段差を目立ち難くする観点等から適宜の寸法としてもよい。この面取部４の深さ寸法を、例えば、０．５ｍｍ〜３．０ｍｍ程度としてもよく、本実施形態では、当該天井パネル１の厚さ寸法の概ね１／２程度とした例を示している。
また、本実施形態では、面取部４がＣ面取状の傾斜面となるように、２本の折曲溝（第１折曲溝２２及び第２折曲溝２５）２２，２５を側端部２に設けた構成としている。
【００３１】
これら折曲溝２２，２５の溝底側の部位のパネル厚さ方向に沿う寸法は、折曲性や折曲後の表面側の見栄え上の観点等から適宜の寸法としてもよく、少なくとも化粧層１１及び難燃層１２の各厚さ寸法を足し合わせた寸法以上としてもよい。これら折曲溝２２，２５の溝底側の部位のパネル厚さ方向に沿う寸法は、例えば、０．０５ｍｍ〜０．３ｍｍ程度でもよく、好ましくは、０．１ｍｍ〜０．２ｍｍ程度でもよい。図例では、発泡樹脂層２０を折曲溝２２，２５の溝底側に設けた例を示している。また、折曲溝２２，２５の溝底側の部位のパネル厚さ方向に沿う寸法を、ガラス繊維強化樹脂層１３を含む表面層１０の厚さ寸法以上とした例を示している。
【００３２】
また、これら折曲溝２２，２５は、図２（ｂ）に示すように、これらが設けられた部位において折り曲げられていない状態（展開状態）で、パネル厚さ方向一方側（天井下地５側）に向けて開口し、側端部２に沿って延びるように全体に亘って設けられている。また、これら折曲溝２２，２５は、互いに略平行状に設けられており、展開状態で、溝長手方向に見て略Ｖ字状とされている。展開状態でパネル内方側（溝幅方向に沿う方向でパネル中心側）に位置する第１折曲溝２２は、パネル外方側（溝幅方向に沿う方向でパネル外方側）に向く第１溝壁２３とパネル内方側に向く第２溝壁２４とによって溝幅方向両側が区画されている。展開状態でパネル外方側に位置する第２折曲溝２５は、パネル外方側に向く第１溝壁２６とパネル内方側に向く第２溝壁２７とによって溝幅方向両側が区画されている。
【００３３】
これら折曲溝２２，２５間には、面取表面層１０ｂの裏面側に位置して発泡樹脂層２０の側端部の室内側部位を構成する面取樹脂層２０ａが設けられている。また、展開状態における第２折曲溝２５のパネル外方側には、端面層１０ｃの裏面側に位置して発泡樹脂層２０の側端部の下地側部位を構成する下地側樹脂層２０ｂが設けられている。
面取樹脂層２０ａは、展開状態でパネル厚さ方向一方側に向けて突出し、溝長手方向に見て略直角二等辺三角形状とされている。換言すれば、第１折曲溝２２と第２折曲溝２５とは、これらの間に略直角二等辺三角形状の面取樹脂層２０ａが形成されるように隣接して設けられている。この面取樹脂層２０ａは、両側辺部の幅寸法が面取部４の深さ寸法に概ね応じた寸法となるように設けられている。また、この面取樹脂層２０ａの両側辺部は、第１折曲溝２２の第２溝壁２４及び第２折曲溝２５の第１溝壁２６に応じた形状とされている。これら第１折曲溝２２の第２溝壁２４と第２折曲溝２５の第１溝壁２６とは、互いに略直交状となるように設けられている。これら第１折曲溝２２の第２溝壁２４と第２折曲溝２５の第１溝壁２６とのなす角は、例えば、８５度〜９５度程度でもよい。
【００３４】
また、第１折曲溝２２の第１溝壁２３と第２折曲溝２５の第２溝壁２７とは、互いに対向するように略平行状に設けられ、展開状態で当該天井パネル１の厚さ方向両面に対して略直交状となるように設けられている。これら第１折曲溝２２の第１溝壁２３及び第２折曲溝２５の第２溝壁２７の展開状態におけるパネル厚さ方向に沿う幅寸法は、上記した面取樹脂層２０ａの両側辺部の幅寸法と概ね同寸法とされている。つまり、これら第１折曲溝２２の第１溝壁２３及び第２折曲溝２５の第２溝壁２７の幅寸法は、当該天井パネル１の厚さ寸法の概ね１／２程度とされている。
これら第１折曲溝２２及び第２折曲溝２５の第１溝壁２３，２６及び第２溝壁２４，２７は、パネル内方側から一連状に設けられた下地側層１５によって構成されている。
【００３５】
下地側樹脂層２０ｂは、展開状態でパネル厚さ方向一方側に向けて突出し、溝長手方向に見て略倒直角台形状とされている。展開状態において下地側樹脂層２０ｂのパネル内方側に向く面には、下地側層１５が設けられ第２折曲溝２５の第２溝壁２７を構成する。また、下地側樹脂層２０ｂのパネル外方側に向く面が折曲状態で天井下地５側に向く下地側面２９を構成する（図１も参照）。また、この下地側樹脂層２０ｂの突出方向先端面は、展開状態でパネル内方側に向けて下るように傾斜する傾斜面とされている。この傾斜面に第２折曲溝２５の第２溝壁２７から下地側層１５が一連状に設けられて傾斜面２８を構成している。この下地側樹脂層２０ｂの下地側面２９側の突出方向先端部は、展開状態において、パネル厚さ方向でパネル内方側の下地側層１５と略一致した位置となるように設けられたものでもよい。
【００３６】
側端部２の第１折曲溝２２のパネル内方側の下地側縁部には、下地側面（パネル裏面）からパネル外方側に向けて下るように傾斜する傾斜面２１が設けられている。この傾斜面２１は、パネル内方側から一連状に設けられた下地側層１５によって構成され、第１折曲溝２２の第１溝壁２３に連なるように、かつ第１溝壁２３に対して屈曲状に設けられている。つまり、この傾斜面２１と上記した傾斜面２８とは、展開状態において、パネル厚さ方向一方側に向かうに従い拡開するように設けられている。これら傾斜面２１，２８は、傾斜方向に沿う幅寸法が互いに略同寸法とされ、かつ互いに略直交状となるように設けられている。これら傾斜面２１，２８のなす角は、例えば、８５度〜９５度程度でもよい。
【００３７】
これら折曲溝２２，２５及び傾斜面２１，２８は、これらを形成する部位に裏面側から適宜の溝形成型をプレスして形成されたものでもよい。つまり、これら折曲溝２２，２５及び傾斜面２１，２８は、発泡樹脂層２０が圧縮されて形成されたものでもよい。このような構成とすれば、発泡樹脂層２０を切除や切削等によって形成したものと比べて、切削屑等の発生や付着を防止することができる。また、このように圧縮された折曲溝２２，２５の溝底側の発泡樹脂層２０は、圧縮されることで気泡が潰されて非圧縮部位よりも高密度となる。なお、折曲溝２２，２５の両側溝壁２３，２４，２６，２７及び傾斜面２１，２８を構成するように下地側層１５を設けた態様に代えて、折曲溝２２，２５の両側溝壁２３，２４，２６，２７及び傾斜面２１，２８において発泡樹脂層２０を露出させた態様としてもよい。この場合は、折曲溝２２，２５及び傾斜面２１，２８を切除や切削等によって形成したものとしてもよい。
【００３８】
また、上記した端部裏面層１０ｄは、展開状態において、下地側樹脂層２０ｂよりもパネル外方側に向けて延びるように設けられている。この端部裏面層１０ｄは、ガラス繊維強化樹脂層１３を含む表面層１０のみからなるものでもよいが、裏面側に発泡樹脂層２０の一部が設けられたものでもよく、また、少なくとも化粧層１１及び難燃層１２を含むものであればよい。本実施形態では、表面層１０を構成する端部裏面層１０ｄの裏面側に、端部発泡樹脂層２０Ａを設けた構成としている。また、この端部発泡樹脂層２０Ａの裏面側に、下地側層１５と同様の端部下地側層１５Ａを設けた構成としている。
つまり、展開状態で下地側樹脂層２０ｂよりもパネル外方側に延出する延出部位は、端部裏面層１０ｄを構成する化粧層１１、難燃層１２及びガラス繊維強化樹脂層１３と、端部発泡樹脂層２０Ａと、端部下地側層１５Ａを構成するガラス繊維強化樹脂層１７及び滲出抑制層１６と、を備えている。つまり、図１に示すように、下地側樹脂層２０ｂの下地側面２９及び側端部２の下地側層１５の下地側面に、端部下地側層１５Ａ、端部発泡樹脂層２０Ａ及び端部裏面層１０ｄが下地側に向けてこの順に設けられている。これら端部下地側層１５Ａ及び端部裏面層１０ｄは、下地側層１５とによって複数層の裏面側補強層を構成する。
【００３９】
この延出部位は、延出部位を形成する部位に適宜の端部形成型をプレスして形成されたものでもよい。このような構成とすれば、上記同様、切削屑等の発生や付着を防止することができ、また、研磨等を不要とできる。このように溝形成型をプレスする前に、下地側樹脂層２０ｂの下地側面２９を形成するように、適宜の切込を形成しておくようにしてもよい。また、このように圧縮された端部発泡樹脂層２０Ａは、圧縮されることで気泡が潰されて非圧縮部位よりも高密度となる。この端部発泡樹脂層２０Ａも裏面側補強層を構成するものとしてもよい。なお、延出部位に、端部下地側層１５Ａ及び端部発泡樹脂層２０Ａを設けた態様に代えて、端部下地側層１５Ａを設けていない構成としてもよく、また、端部発泡樹脂層２０Ａも設けていない構成としてもよい。この場合は、上記同様、切除や切削等によって延出部位（端部裏面層１０ｄ）を形成したものとしてもよい。
【００４０】
上記構成とされた側端部２は、各折曲溝２２，２５の部位において折り曲げられれば、図１に示すように、第１折曲溝２２の両側溝壁２３，２４が互いに当接または近接対面される。また、同様に、第２折曲溝２５の両側溝壁２６，２７が互いに当接または近接対面され、傾斜面２１，２８が互いに当接または近接対面される。これにより、側端部２の室内側縁部に面取部４が形成され、下地側樹脂層２０ｂの下地側面２９と下地側層１５の下地側面とが略同一平面状となる。また、上記のように延出された端部裏面層１０ｄを含む延出部位を、下地側樹脂層２０ｂ及び下地側層１５を覆うように折り曲げれば、側端部２の下地側に端部裏面層１０ｄを含む延出部位が設けられる。なお、側端部２の下地側に、この延出部位を受け入れる凹段部を設けた構成としてもよい。
【００４１】
また、本実施形態のように、四周の側端部２，２，２，２のそれぞれに上記のような折り曲げられる部位を設けた場合には、展開状態におけるコーナー部に、折り曲げられた部位の重なり合いを低減する適宜の切欠状凹所を設けておくようにしてもよい。
また、上記した例では、傾斜面２１，２８を設けた例を示しているが、このような傾斜面２１，２８を設けていない構成としてもよい。例えば、側端部２の下地側部位に、第１折曲溝２２の第１溝壁２３と同一平面状の平坦面部を設け、下地側樹脂層２０ｂの突出方向先端面を、この平坦面部に当接または近接対面される平坦面としてもよい。または、側端部２の下地側縁部に、下地側樹脂層２０ｂの突出方向先端部を受け入れる凹段部を設けたような態様としてもよい。側端部２の第１折曲溝２２のパネル内方側の下地側縁部と下地側樹脂層２０ｂとの重なり合いを低減する構成としては、上記したような態様に限られず、その他、種々の変形が可能である。
【００４２】
また、上記した例では、面取部４を、Ｃ面取状の傾斜面とした例を示しているが、Ｒ面取状の突湾曲面としてもよく、さらには、このような面取部４を設けていない構成としてもよい。この場合は、折曲溝２２，２５の形状や本数、面取樹脂層２０ａ及び下地側樹脂層２０ｂの形状等を適宜、変形すればよい。
また、上記した例では、側端部２の裏面側に設けられた折曲溝２２，２５の部位において折り曲げて端面３に端面層１０ｃを設けた例を示しているが、このような態様に限られない。例えば、このような折曲溝２２，２５を設けずに、上記のような延出部位を発泡樹脂層２０の端面及び裏面側を覆うように折り曲げて端面３に端面層１０ｃを設けたような態様等としてもよい。
【００４３】
上記構成とされた天井パネル１を天井下地５に固定する本実施形態に係る天井パネルの固定構造は、図１に示すように、天井パネル１を、その裏面（下地側面）を天井下地５（野縁７）に当接させた状態で固定した構造とされている。また、同固定構造は、裏面側補強層を構成する下地側層１５が固着具８の頭部８ａの止部となるように表面側（室内側）から打ち込まれた固着具８によって天井パネル１を固定した構造とされている。また、同固定構造は、固着具８の頭部８ａを発泡樹脂層２０内に没入させた構造とされている。
また、同固定構造は、隣り合う天井パネル１，１の一方向の各側端部２，２の端面３，３同士を突き合わせ、これら側端部２，２に打ち込んだ固着具８，８によってこれら天井パネル１，１を固定した構造とされている（図２（ａ）も参照）。
【００４４】
また、本実施形態では、固着具８を、複数層の裏面側補強層としての下地側層１５、端部下地側層１５Ａ及び端部裏面層１０ｄが設けられた部位に打ち込んだ構造としている。つまり、止具８の頭部８ａの天井下地５側に、これら下地側層１５、端部下地側層１５Ａ及び端部裏面層１０ｄが設けられている。
また、本実施形態では、固着具８の頭部８ａを、表面側補強層を構成する室内側面層１０ａを貫通させた構造としている。つまり、室内側面層１０ａには、固着具８の頭部８ａによって貫通孔９が設けられている。
また、本実施形態では、固着具８を、ステープルとしている。つまり、固着具８を、Ｕ針状とされたものとしている。この固着具８は、パネル厚さ方向に延びる一対の針部（足部）８ｂ，８ｂと、これら針部８ｂ，８ｂを連結する連結部を構成する頭部８ａと、を備えている。
【００４５】
このような固着具８は、頭部８ａ及び針部８ｂ，８ｂが線材状とされている。これら頭部８ａ及び針部８ｂ，８ｂの太さは、０．３ｍｍ〜２．０ｍｍ程度とされたものでもよい。また、頭部８ａの針部８ｂ，８ｂ連結方向に沿う長さ寸法は、目立ち難くする観点や止着強度の観点等から適宜の寸法としてもよく、例えば、３ｍｍ〜２０ｍｍ程度としてもよい。また、針部８ｂ，８ｂのパネル厚さ方向に沿う長さ寸法は、天井下地５を構成する野縁７への止着性の観点等から適宜の寸法としてもよい。これら針部８ｂ，８ｂの長さ寸法は、下地側層１５によって頭部８ａが止められた状態で、野縁７の下側片部を貫通し得るように適宜の寸法としてもよく、例えば、１０ｍｍ〜５０ｍｍ程度としてもよい。図例では、これら針部８ｂ，８ｂの長さ寸法を、互いに略同寸法とし、かつ頭部８ａの長さ寸法よりも大とした例を示している。
【００４６】
この固着具８が打ち込まれた状態では、室内側から下地側に向けて通過する頭部８ａによって発泡樹脂層２０がせん断され、頭部８ａが下地側層１５近傍部位で停止された状態となる。なお、このように打ち込まれた固着具８の頭部８ａによって下地側層１５近傍の発泡樹脂層２０の一部が圧縮されていてもよい。つまり、打ち込まれた固着具８の頭部８ａと下地側層１５との間に発泡樹脂層２０が存在していてもよい。
また、このような固着具８は、圧縮エアを駆動源として作動する打込機や電動の打込機によって打ち込まれたものでもよい。また、頭部８ａが室内側面層１０ａを貫通し、かつ下地側層１５を貫通しないように、打込機に供給する空気圧や打込荷重を調整したり、適宜のアジャスター等を調整したりして固着具８が打ち込まれたものでもよい。
また、図例では、固着具８の針部８ｂ，８ｂを、その長手方向をパネル厚さ方向に沿わせて打ち込んだ例を示しているが、パネル厚さ方向に対して適宜の傾斜角度で傾斜させた状態で打ち込んだ態様としてもよい。
【００４７】
また、固着具８は、天井下地５の野縁７の長手方向に適宜の間隔（ピッチ）を空けて打ち込まれたものでもよい。この固着具８のピッチは、天井パネル１の保持が可能なように、天井パネル１の質量や天井下地５間の寸法等に応じて適宜のピッチとしてもよい。また、天井パネル１は、側端部２に打ち込まれた固着具８のみによって天井下地５に対して固定されたものでもよく、接着剤や粘着材を併用して固定されたものでもよい。上記のように裏面側補強層を構成する下地側層１５が設けられ比較的に軽量な天井パネル１を固定する構造とすれば、側端部２に打ち込まれた固着具８のみによって天井下地５に対して固定することができる。
また、天井パネル１の少なくとも一方向の両側端部２，２を、このような固定構造によって固定した構造としてもよい。また、天井パネル１の一方向中央部等の途中部位を、天井下地５に対して固着具８によって同様に固定した構造としてもよい。また、天井パネル１の他方向の両側端部２，２は、このような固定構造によって天井下地５に対して固定せずに、端面３，３同士を突き合わせた状態としてもよい。また、隣り合う天井パネル１，１の他方向の各側端部２，２同士を連結する適宜の連結部を各側端部２，２に設けた構造としてもよい。
【００４８】
本実施形態に係る天井パネルの固定構造は、上述のような構成としたことで、施工性が良好で、かつ見栄え良く天井パネル１を固定することができる。
つまり、天井パネル１の裏面を天井下地５に当接させて固着具８によって固定した構造としている。従って、天井下地５との間に捨て貼りパネル等を設けた構造や天井パネル１の側端部２に目地材（ジョイナー）を設けた構造と比べて、施工性を向上させることができる。
また、裏面側補強層としての下地側層１５が固着具８の頭部８ａの止部となるように表面側から打ち込まれた固着具８によって天井パネル１を固定した構造としている。従って、軟質層を構成する発泡樹脂層２０の裏面側に設けられた下地側層１５が固着具８の頭部８ａによって保持されるので、発泡樹脂層２０のみの天井パネルを固定した構造と比べて、天井パネル１の保持強度を向上させることができる。また、固着具８は、その頭部８ａが発泡樹脂層２０内に没入されているので、固着具８の頭部８ａを目立ち難くすることができ、見栄えを向上させることができる。
【００４９】
また、本実施形態では、固着具８の頭部８ａを、天井パネル１の発泡樹脂層２０の表面側に設けられた表面側補強層を構成する室内側面層１０ａを貫通させた構造としている。従って、表面側に補強層が設けられていないものと比べて、表面側における固着具８の打ち込みによって形成される凹みを抑制することができる。換言すれば、固着具８の打ち込みによって形成される表面側の穴を効果的に小さくすることができる。また、表裏の補強層を構成する室内側面層１０ａ及び下地側層１５によって天井パネル１の撓みを抑制することができる。なお、発泡樹脂層２０の室内側（表面側）に補強層として機能する室内側面層１０ａを設けていない構成としてもよい。この場合は、発泡樹脂層２０の室内側（表面側）に、化粧層１１のみを設けた態様や化粧層１１に代えてまたは加えて難燃層１２を設けた態様等としてもよい。
【００５０】
また、本実施形態では、固着具８をステープルとしている。従って、固着具８をねじや釘等とした場合と比べて、線状の頭部８ａとなるので、より目立ち難くすることができる。特に、表面側補強層を構成する室内側面層１０ａを貫通させた構造とすれば、凹み難いことも相まって、固着具８の頭部８ａをより効果的に目立ち難くすることができる。なお、固着具８としては、ステープルに限られず、下地側層１５によって止められる頭部８ａがあるものであれば、どのようなものでもよく、ねじや釘等でもよく、好ましくは、ステープルまたは釘でもよい。
【００５１】
また、本実施形態では、複数層の裏面側補強層としての下地側層１５、端部下地側層１５Ａ及び端部裏面層１０ｄが設けられた部位に固着具８を打ち込んだ構造としている。従って、これら複数層の下地側層１５、端部下地側層１５Ａ及び端部裏面層１０ｄが固着具８の頭部８ａによって保持されることとなるので、天井パネル１の保持強度をより効果的に向上させることができる。
また、本実施形態では、これら下地側層１５、端部下地側層１５Ａ及び端部裏面層１０ｄを、繊維強化樹脂層を構成するガラス繊維強化樹脂層１７，１７，１３を含んだ構造としている。従って、裏面側補強層を構成する下地側層１５、端部下地側層１５Ａ及び端部裏面層１０ｄの剛性を極めて向上させることができ、これらが固着具８の頭部８ａによって保持されることとなるので、天井パネル１の保持強度をより効果的に向上させることができる。
【００５２】
また、本実施形態では、軟質層を発泡樹脂層２０としている。従って、軟質層をグラスウール等の繊維系としたものと比べて、固着具８を打ち込んだ際における表面側の凹みを目立ち難くすることができる。つまり、軟質層を発泡樹脂層２０としているので、繊維系としたものと比べて、固着具８の打ち込みによってせん断され易いので、表面側に大きな凹みが形成され難くなる。なお、このような態様に代えて、天井パネル１の軟質層を、グラスウールやロックウール等の繊維層としてもよい。
【００５３】
また、上記した例では、天井パネル１の側端部２の端面３に、室内側面層１０ａから一連状に表面層１０構成する端面層１０ｃ（及び面取表面層１０ｂ）を設けた例を示しているが、このような態様に限られない。例えば、天井パネル１の側端部２の端面３において軟質層としての発泡樹脂層２０を露出させた構成としたり、端面３に他のエッジシート等を貼着したりした構造としてもよい。
また、上記した例では、裏面側補強層として、それぞれに繊維強化樹脂層を構成するガラス繊維強化樹脂層１７，１７，１３を含んだ三層の裏面側補強層を設けた態様とした例を示しているが、このような態様に限られない。例えば、裏面側補強層として、それぞれに繊維強化樹脂層を含んだ二層の裏面側補強層を設けた態様としてもよく、さらには、少なくとも単層の繊維強化樹脂層を含んだ裏面側補強層を設けた態様としてもよい。また、裏面側補強層としては、このような繊維強化樹脂層を含んだものに限られず、軟質層よりも硬質で、打ち込まれた固着具８の頭部８ａの止部となるものであれば、どのようなものでもよい。また、上記した例では、裏面側補強層が複数層設けられた部位に固着具８を打ち込んだ例を示しているが、裏面側補強層が単層の部位に固着具８を打ち込んだ構造としてもよい。本実施形態に係る天井パネルの固定構造としては、その他、種々の変形が可能であり、また、これを用いて固定される天井パネル１としても、その他、種々の変形が可能である。
【符号の説明】
【００５４】
１      天井パネル
１０ａ  室内側面層（表面側補強層）
１０ｄ  端部裏面層（裏面側補強層）
１３    ガラス繊維強化樹脂層（繊維強化樹脂層）
１５    下地側層（裏面側補強層）
１５Ａ  端部下地側層（裏面側補強層）
１７    ガラス繊維強化樹脂層（繊維強化樹脂層）
２０    発泡樹脂層（軟質層）
５      天井下地
８      固着具
８ａ    頭部
【図１】
2020033773.tif 000003
【図２】
2020033773.tif 000004